【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
ネットワークを介して情報管理装置に接続された携帯端末であって、前記ネットワークを介して前記情報管理装置から情報を受信する受信手段と、前記携帯端末が備える情報取得手段の動作を禁止または許可しておく制御手段と、を備え、
前記受信手段は、前記制御手段による前記情報取得手段の動作の禁止を解除する使用許可情報または前記情報取得手段の動作を禁止する使用不可情報を前記情報管理装置から前記ネットワークを介して受信し、
前記制御手段は、前記使用許可情報または前記使用不可情報に基づいて、前記情報取得手段を動作または終了させるよう制御し、
前記制御手段は、前記情報取得手段を動作させて取得した情報を、前記ネットワークを介して前記情報管理装置に転送する転送制御手段を備え、
前記制御手段は、取得した前記情報が前記転送制御手段により前記情報管理装置に転送されたか否かを判定し、かつ転送し終えた前記情報を削除することを特徴とする携帯端末。
【請求項２】
前記受信手段は、前記情報管理装置から前記ネットワークを介して暗号鍵を受信しておき、
前記制御手段は、前記情報取得手段を動作させて取得した情報を前記暗号鍵で所定の暗号化手順に従って暗号化する暗号化手段を更に備え、
前記制御手段は、取得した前記情報が前記暗号化手段に暗号化されたか否かを判定し、前記暗号化された前記情報を前記転送制御手段により前記情報管理装置に転送させ、かつ転送し終えた前記情報を削除する請求項１に記載の携帯端末。
【請求項３】
記憶手段を更に備え、
前記制御手段は、前記ネットワークを介して前記情報管理装置と通信できない場合に前記情報を前記暗号化手段により前記暗号鍵で暗号化し、暗号化された前記情報を前記記憶手段に保存する請求項２に記載の携帯端末。
【請求項４】
前記ネットワークを介して前記情報管理装置との通信が確立されたとき、前記制御手段は、前記記憶手段に保存された前記暗号化された前記情報を前記転送制御手段により前記情報管理装置に転送させ、かつ転送し終えた前記暗号化された前記情報を削除する請求項３に記載の携帯端末。
【請求項５】
現在位置を示す位置情報を取得する位置情報取得手段を更に備え、
前記制御手段は、前記情報取得手段の動作を禁止しておき、
前記受信手段は、前記使用許可情報を前記情報管理装置から受信し、
前記受信手段が前記使用許可情報を受信したあと、前記位置情報取得手段は前記位置情報を間欠的に取得し、
前記制御手段は、前記位置情報および前記使用許可情報に基づいて、前記動作が禁止されている前記情報取得手段を動作させるよう制御し、かつ、前記間欠的に取得した前記位置情報および前記使用許可情報に基づいて、前記情報取得手段の使用が禁止される禁止領域に前記携帯端末が移動しているか否かを判定し、前記携帯端末が前記禁止領域に移動していると判定されたとき、動作している前記情報取得手段の前記動作を終了させることを特徴とする請求項１から４のいずれか一項に記載の携帯端末。
【請求項６】
現在位置を示す位置情報を取得する位置情報取得手段と、
前記ネットワークを介して前記情報管理装置に、前記位置情報取得手段によって取得された位置情報が付加された、前記情報取得手段の使用を申請する使用申請情報を送信する送信手段と、を更に備え、
前記受信手段が、前記情報管理装置から前記ネットワークを介して、前記使用申請情報に対する前記使用許可情報または前記使用不可情報を受信し、
前記制御手段が、前記受信手段によって前記使用許可情報を受信していない状況にあっては、前記情報取得手段の動作を禁止しておき、前記受信手段によって前記使用許可情報を受信したことを契機に、前記情報取得手段を所定時間だけ動作させて情報を取得するよう制御する請求項１から５のいずれか一項に記載の携帯端末。
【請求項７】
現在位置を示す位置情報を取得する位置情報取得手段を更に備え、
前記制御手段は、前記情報取得手段の動作を禁止しておき、
前記受信手段は、前記使用許可情報を前記情報管理装置から受信し、
前記制御手段は、前記情報管理装置から前記ネットワークを介して受信した前記使用許可情報を参照し、前記位置情報取得手段が取得した前記位置情報に基づいて前記機能部情報取得手段の動作の禁止を解除することの可否を判定し、前記判定の結果に基づいて前記情報取得手段を動作させるよう制御する請求項１から６のいずれか一項に記載の携帯端末。
【請求項８】
前記ネットワークを介して前記情報管理装置に、前記携帯端末または前記携帯端末の利用者を示す識別情報を送信する送信手段を更に備え、
前記受信手段は、前記情報管理装置から前記ネットワークを介して、前記識別情報に対する前記使用許可情報または前記使用不可情報を受信し、
前記制御手段は、前記受信手段によって前記使用許可情報を受信したことを契機に、前記情報取得手段を動作させるよう制御する請求項１から７のいずれか一項に記載の携帯端末。
【請求項９】
現在位置を示す位置情報を取得する位置情報取得手段を更に備え、
前記位置情報取得手段が、前記情報取得手段の使用が許可される許可領域、または前記情報取得手段の使用が禁止される禁止領域に敷設されている、通信可能な無線アクセスポイントの識別情報を、前記現在位置を示す位置情報として取得する請求項１から８のいずれか一項に記載の携帯端末。
【請求項１０】
ネットワークを介して互いに接続された携帯端末と情報管理装置とからなる情報管理システムであって、
前記携帯端末は、
前記ネットワークを介して前記情報管理装置から情報を受信する受信手段と、情報取得手段と、前記情報取得手段の動作を禁止または許可しておく制御手段と、を備え、
前記情報管理装置は、
前記制御手段による前記情報取得手段の動作の禁止を解除させる使用許可情報または前記情報取得手段の動作を禁止する使用不可情報を前記携帯端末に対して前記ネットワークを介して送信する送信手段を備え、
前記情報管理装置から前記携帯端末に送信された前記使用許可情報または前記使用不可情報に基づいて、前記制御手段は前記情報取得手段の動作の禁止または許可を解除して前記情報取得手段を動作または終了させ、
前記制御手段は、前記情報取得手段を動作させて取得した情報を、前記ネットワークを介して前記情報管理装置に転送する転送制御手段を備え、
前記制御手段は、取得した前記情報が前記転送制御手段により前記情報管理装置に転送されたか否かを判定し、かつ転送し終えた前記情報を削除することを特徴とする情報管理システム。
【請求項１１】
前記情報管理装置の前記送信手段は、前記ネットワークを介して前記携帯端末に対して暗号鍵を送信し、
前記携帯端末の前記受信手段は、前記暗号鍵を受信し、
前記携帯端末の前記制御手段は、前記情報取得手段を動作させて取得した情報を前記暗号鍵で所定の暗号化手順に従って暗号化する暗号化手段を更に備え、
前記制御手段は、取得した前記情報が前記暗号化手段に暗号化されたか否かを判定し、前記暗号化された前記情報を前記転送制御手段により前記情報管理装置に転送させ、かつ転送し終えた前記情報を削除し、
前記情報管理装置は、転送された前記情報を受信して復号化する請求項１０に記載の情報管理システム。
【請求項１２】
前記携帯端末は、
現在位置を示す位置情報を取得する位置情報取得手段と、
前記ネットワークを介して前記情報管理装置に、前記位置情報取得手段によって取得された位置情報が付加された、前記情報取得手段の使用を申請する使用申請情報を送信する第１送信手段と、を更に備え、
前記受信手段は、前記情報管理装置から前記ネットワークを介して、前記使用申請情報に対する前記使用許可情報または前記使用不可情報を受信する第１受信手段であり、
前記制御手段は、前記使用許可情報を受信していない状況にあっては、前記情報取得手段の動作を禁止しておき、前記受信手段によって前記使用許可情報を受信したことを契機に、前記情報取得手段を所定時間だけ動作させて情報を取得するよう制御し、
前記情報管理装置は、
前記携帯端末からの使用申請情報を受信する第２受信手段と、
前記第２受信手段によって受信された使用申請情報に付加された位置情報に基づいて、前記情報取得手段の動作を許可するか否かを判定する可否判定手段と、を更に備え、
前記送信手段は、前記可否判定手段によって前記情報取得手段の動作を許可すると判定された場合に、前記携帯端末に対して前記ネットワークを介して前記使用許可情報を送信する第２送信手段である
ことを特徴とする請求項１０または１１に記載の情報管理システム。
【請求項１３】
前記情報管理装置は、
前記情報取得手段の使用を許可する許可領域情報または前記情報取得手段の使用を禁止する禁止領域情報の少なくとも一方を記憶する記憶手段を更に備え、
前記可否判定手段は、前記使用申請情報に付加された位置情報に基づいて、前記記憶手段に記憶されている、前記許可領域情報または前記禁止領域情報の少なくとも一方を参照することにより、前記情報取得手段の動作を許可するか否かを判定する
ことを特徴とする請求項１２に記載の情報管理システム。
【請求項１４】
前記制御手段は、前記情報管理装置から前記ネットワークを介して受信した前記使用許可情報を参照し、前記位置情報取得手段が取得した前記位置情報に基づいて前記情報取得手段の動作の禁止を解除することの可否を判定し、前記判定の結果に基づいて前記情報取得手段を動作させるよう制御する請求項１２または１３に記載の情報管理システム。
【請求項１５】
前記携帯端末は、前記ネットワークを介して前記情報管理装置に、前記携帯端末または前記携帯端末の利用者を示す識別情報を送信する送信手段を更に備え、
前記受信手段は、前記情報管理装置から前記ネットワークを介して、前記識別情報に対する前記使用許可情報または前記使用不可情報を受信し、
前記制御手段は、前記受信手段によって前記使用許可情報を受信したことを契機に、前記情報取得手段を動作させるよう制御する請求項１０から１４のいずれか一項に記載の情報管理システム。
【請求項１６】
前記携帯端末は、現在位置を示す位置情報を取得する位置情報取得手段を更に備え、
前記携帯端末は、前記情報取得手段を動作させている間に取得した前記情報の取得時に、前記位置情報取得手段によって取得した位置情報を前記情報に付加し、前記ネットワークを介して前記情報管理装置に転送する転送制御手段を更に備え、
前記情報管理装置は、前記携帯端末から転送されてくる、前記情報取得手段によって取得された情報に付加されている前記位置情報に基づいて、前記記憶手段に記憶されている、前記許可領域情報または前記禁止領域情報の少なくとも一方を参照することにより、該情報の使用可／不可を設定する使用可否設定手段を更に備える
ことを特徴とする請求項１５に記載の情報管理システム。
【請求項１７】
ネットワークを介して互いに接続された携帯端末と情報管理装置とを用いて行う情報管理方法であって、
前記携帯端末に備えられている情報取得手段の使用を申請する使用申請情報を、前記ネットワークを介して前記情報管理装置に対して送信する使用申請情報送信ステップと、
前記携帯端末からの使用申請情報を前記情報管理装置で受信する使用申請情報受信ステップと、
前記使用申請情報受信ステップで受信された使用申請情報に基づいて、前記携帯端末が備えている前記情報取得手段の動作を許可するか否かを、前記情報管理装置で判定する可否判定ステップと、
前記可否判定ステップで前記情報取得手段の動作を許可すると判定した場合に、前記情報管理装置から前記携帯端末に対して前記ネットワークを介して使用許可情報を送信する使用許可情報送信ステップと、
前記使用申請情報に対する使用許可情報を、前記情報管理装置から前記ネットワークを介して、前記携帯端末で受信する使用許可情報受信ステップと、
前記使用許可情報を受信していない状況にあっては、前記携帯端末が備えている前記情報取得手段の動作を禁止しておき、前記使用許可情報を受信したことを契機に、前記情報取得手段を動作させて情報を取得するよう制御する制御ステップと、
前記情報取得手段を動作させて取得した前記情報を、前記ネットワークを介して前記情報管理装置に転送する転送制御ステップと、
取得した前記情報が前記転送制御手段により前記情報管理装置に転送されたか否かを判定し、かつ転送し終えた前記情報を削除するステップと、
を含む情報管理方法。
【請求項１８】
ネットワークを介して情報管理装置に接続され、情報取得手段を備える携帯端末のコンピュータを用いて情報管理処理を行うためのプログラムであって、
前記ネットワークを介して前記情報管理装置に対し、前記情報取得手段の使用を申請する使用申請情報を送信する送信処理と、
前記情報管理装置から前記ネットワークを介して、前記使用申請情報に対する使用許可情報または使用不可情報を受信する受信処理と、
前記使用許可情報を受信していない状況にあっては、前記情報取得手段の動作を禁止し、前記使用許可情報を受信したことを契機に、前記情報取得手段を動作させるよう制御する制御処理と、
前記情報取得手段を動作させて取得した情報を、前記ネットワークを介して前記情報管理装置に転送する転送制御処理と、
取得した前記情報が前記転送制御手段により前記情報管理装置に転送されたか否かを判定し、かつ転送し終えた前記情報を削除する処理と、
を前記コンピュータに実行させることを特徴とするプログラム。
【手続補正２】
【補正対象書類名】明細書
【補正対象項目名】発明の名称
【補正方法】変更
【補正の内容】
【発明の名称】携帯端末、情報管理システム、情報管理方法およびプログラム
【手続補正３】
【補正対象書類名】明細書
【補正対象項目名】００１０
【補正方法】変更
【補正の内容】
【００１０】
本発明によれば、ネットワークを介して情報管理装置に接続された携帯端末であって、前記ネットワークを介して前記情報管理装置から情報を受信する受信手段と、前記携帯端末が備える情報取得手段の動作を禁止または許可しておく制御手段と、を備え、前記受信手段は、前記制御手段による前記情報取得手段の動作の禁止を解除する使用許可情報または前記情報取得手段の動作を禁止する使用不可情報を前記情報管理装置から前記ネットワークを介して受信し、前記制御手段は、前記使用許可情報または前記使用不可情報に基づいて、前記情報取得手段を動作または終了させるよう制御し、前記制御手段は、前記情報取得手段を動作させて取得した情報を、前記ネットワークを介して前記情報管理装置に転送する転送制御手段を備え、前記制御手段は、取得した前記情報が前記転送制御手段により前記情報管理装置に転送されたか否かを判定し、かつ転送し終えた前記情報を削除することを特徴とする携帯端末が提供される。
【手続補正４】
【補正対象書類名】明細書
【補正対象項目名】００１１
【補正方法】変更
【補正の内容】
【００１１】
また、本発明によれば、ネットワークを介して互いに接続された携帯端末と情報管理装置とからなる情報管理システムであって、前記携帯端末は、前記ネットワークを介して前記情報管理装置から情報を受信する受信手段と、情報取得手段と、前記情報取得手段の動作を禁止または許可しておく制御手段と、を備え、前記情報管理装置は、前記制御手段による前記情報取得手段の動作の禁止を解除させる使用許可情報または前記情報取得手段の動作を禁止する使用不可情報を前記携帯端末に対して前記ネットワークを介して送信する送信手段を備え、前記情報管理装置から前記携帯端末に送信された前記使用許可情報または前記使用不可情報に基づいて、前記制御手段は前記情報取得手段の動作の禁止または許可を解除して前記情報取得手段を動作または終了させ、前記制御手段は、前記情報取得手段を動作させて取得した情報を、前記ネットワークを介して前記情報管理装置に転送する転送制御手段を備え、前記制御手段は、取得した前記情報が前記転送制御手段により前記情報管理装置に転送されたか否かを判定し、かつ転送し終えた前記情報を削除することを特徴とする情報管理システムが提供される。
【手続補正５】
【補正対象書類名】明細書
【補正対象項目名】００１２
【補正方法】変更
【補正の内容】
【００１２】
上記発明にかかる情報管理システムにおいて、前記情報管理装置の前記送信手段は、前記ネットワークを介して前記携帯端末に対して暗号鍵を送信し、前記携帯端末の前記受信手段は、前記暗号鍵を受信し、前記携帯端末の前記制御手段は、前記情報取得手段を動作させて取得した情報を前記暗号鍵で所定の暗号化手順に従って暗号化する暗号化手段を更に備え、前記制御手段は、取得した前記情報が前記暗号化手段に暗号化されたか否かを判定し、前記暗号化された前記情報を前記転送制御手段により前記情報管理装置に転送させ、かつ転送し終えた前記情報を削除し、前記情報管理装置は、転送された前記情報を受信して復号化してもよい。
【手続補正６】
【補正対象書類名】明細書
【補正対象項目名】００１３
【補正方法】変更
【補正の内容】
【００１３】
また、本発明によれば、ネットワークを介して互いに接続された携帯端末と情報管理装置とを用いて行う情報管理方法であって、前記携帯端末に備えられている情報取得手段の使用を申請する使用申請情報を、前記ネットワークを介して前記情報管理装置に対して送信する使用申請情報送信ステップと、前記携帯端末からの使用申請情報を前記情報管理装置で受信する使用申請情報受信ステップと、前記使用申請情報受信ステップで受信された使用申請情報に基づいて、前記携帯端末が備えている前記情報取得手段の動作を許可するか否かを、前記情報管理装置で判定する可否判定ステップと、前記可否判定ステップで前記情報取得手段の動作を許可すると判定した場合に、前記情報管理装置から前記携帯端末に対して前記ネットワークを介して使用許可情報を送信する使用許可情報送信ステップと、前記使用申請情報に対する使用許可情報を、前記情報管理装置から前記ネットワークを介して、前記携帯端末で受信する使用許可情報受信ステップと、前記使用許可情報を受信していない状況にあっては、前記携帯端末が備えている前記情報取得手段の動作を禁止しておき、前記使用許可情報を受信したことを契機に、前記情報取得手段を動作させて情報を取得するよう制御する制御ステップと、前記情報取得手段を動作させて取得した前記情報を、前記ネットワークを介して前記情報管理装置に転送する転送制御ステップと、取得した前記情報が前記転送制御手段により前記情報管理装置に転送されたか否かを判定し、かつ転送し終えた前記情報を削除するステップと、を含む情報管理方法が提供される。
【手続補正７】
【補正対象書類名】明細書
【補正対象項目名】００１４
【補正方法】変更
【補正の内容】
【００１４】
また、本発明によれば、ネットワークを介して情報管理装置に接続され、情報取得手段を備える携帯端末のコンピュータを用いて情報管理処理を行うためのプログラムであって、前記ネットワークを介して前記情報管理装置に対し、前記情報取得手段の使用を申請する使用申請情報を送信する送信処理と、前記情報管理装置から前記ネットワークを介して、前記使用申請情報に対する使用許可情報または使用不可情報を受信する受信処理と、前記使用許可情報を受信していない状況にあっては、前記情報取得手段の動作を禁止し、前記使用許可情報を受信したことを契機に、前記情報取得手段を動作させるよう制御する制御処理と、前記情報取得手段を動作させて取得した情報を、前記ネットワークを介して前記情報管理装置に転送する転送制御処理と、取得した前記情報が前記転送制御手段により前記情報管理装置に転送されたか否かを判定し、かつ転送し終えた前記情報を削除する処理と、を前記コンピュータに実行させることを特徴とするプログラムが提供される。